(57)【特許請求の範囲】
【請求項１】
扉に内蔵された錠箱に対し回転力を入力し、該錠箱内に設けられたロック部材を扉枠に対して進退動作させるサムターンであって、
前記扉の屋内側の面に露出して回転自在に固定されかつ前記錠箱に対向する端面に開口する中空部の形成された摘み部と、
前記中空部に、前記摘み部の回転中心軸方向に移動自在かつ相対回転不能に内設され、前記錠箱の回転入力部に対して係合又は係合解除されるコア部材と、
頭部が前記摘み部の表面に露出されるとともに先端が前記中空部内に延出して前記コア部材に螺合され、前記頭部が回転されることで前記コア部材を前記回転中心軸方向に移動させる伝達解除ネジと、
を具備し、
前記コア部材の先端が前記錠箱の回転入力部に嵌入し係合されている通常状態では、前記摘み部の回転操作力が前記コア部材を介して錠箱に伝達されて、該摘み部による施解錠操作を可能とし、
前記通常状態から前記伝達解除ネジの頭部が回転操作されると、該伝達解除ネジに螺合される前記コア部材が、前記錠箱の回転入力部に係合状態から抜脱され、前記錠箱に対して離反方向となる前記中空部内に移動し、前記摘み部と回転入力部との係合を解除して回転操作力の伝達を不能とすることを特徴とするサムターン。
【請求項２】
前記摘み部の表面に凹部が形成され、該凹部に前記伝達解除ネジの頭部が配置されることを特徴とする請求項１記載のサムターン。
【請求項３】
扉に内蔵された錠箱に対し回転力を入力し、該錠箱内に設けられたロック部材を扉枠に対して進退動作させるサムターンであって、
前記扉の屋内側の面に露出して回転自在に固定されかつ前記錠箱に対向する端面に開口する中空部の形成された摘み部と、
前記中空部に、前記摘み部の回転中心軸方向に移動自在かつ相対回転可能に内設され、前記錠箱の回転入力部に対して係合又は係合解除されるコア部材と、
前記摘み部の表面に、前記コア部材の移動方向に沿って形成され、前記中空部を外部へ開口させるガイド溝と、
前記コア部材に突設され該ガイド溝から外部へ突出し、該ガイド溝に沿って移動する伝達解除ピンと、
前記摘み部に設けられ、該伝達解除ピンの移動を前記ガイド溝の所定の位置で規制する保持手段と、
を具備し、
前記コア部材の先端が前記錠箱の回転入力部に嵌入し係合されている通常状態では、前記摘み部の回転操作力が前記コア部材を介して錠箱に伝達されて、該摘み部による施解錠操作を可能とし、
前記通常状態から前記伝達解除ピンが前記ガイド溝に沿って移動操作されると、該伝達解除ピンが突設された前記コア部材が、前記錠箱の回転入力部に係合状態から抜脱され、前記伝達解除ピンの移動を前記保持手段にて規制することで、前記錠箱に対して離反方向となる前記中空部内に移動し、前記摘み部と回転入力部との係合を解除して回転操作力の伝達を不能とすることを特徴とするサムターン。
【請求項４】
前記保持手段が、前記ガイド溝の長手方向と直交する方向に連設され、前記伝達解除ピンを進入させて該伝達解除ピンの移動を規制する保持溝からなることを特徴とする請求項３記載のサムターン。
【発明の詳細な説明】
【０００１】
【発明の属する技術分野】
本発明は、扉に内蔵された錠箱に対し回転力を入力し、錠箱内に設けられたロック部材を扉枠に対して進退動作させて、屋内側から扉を施解錠させるサムターンに関するものである。
【０００２】
【従来の技術】
従来のシリンダー錠及びサムターン付きの施錠装置は、扉に錠箱が内蔵され、錠箱には、扉の屋外側に露出するシリンダー錠と、扉の屋内側に露出するサムターンとが設けられている。錠箱には、ロック部材である例えばデッドボルトが扉の端面（木口）から進退自在に設けられている。この種の施錠装置では、屋外側に露出されたシリンダー錠の鍵孔に、合鍵（キー）を挿入して回転操作することにより、扉の木口よりデッドボルトが進退されて、扉枠側に対して施解錠が行われるようになっている。また、屋内側からは、サムターンの摘みが回転操作されるのみで、デッドボルトが進退され、扉の施解錠が簡便に行われるようになっている。
【０００３】
【発明が解決しようとする課題】
近年、マンションや住宅の玄関扉には、高級感や優美性を追求した結果の一形態として、ガラス板を嵌め込んだ小窓の設けられたものが多用されるようになってきている。
ところが、このような小窓の設けられた扉では、ガラス板が割られると、外部から手指を挿入して、サムターンが不正に回転操作されてしまう虞れがある。これに対し、小窓開口の大きさを小さくし、開口位置をサムターンから所定距離遠ざけることにより、手指による不正回転操作を行えなくすることは可能になるが、この場合においても、棒や針金等によるサムターンの不正回転操作を確実に阻止することは困難となる。
【０００４】
本発明は上記状況に鑑みてなされたもので、小窓が割られ、そこから手指や棒等が差し入れられてサムターンが不正回転操作された場合であっても、解錠が防止されるサムターンを提供することを目的とする。
【０００５】
【課題を解決するための手段】
次に、上記の課題を解決するための手段を、実施の形態に対応する図面を参照して説明する。
この発明に係る請求項１記載のサムターン７は、扉１に内蔵された錠箱３に対し回転力を入力し、該錠箱３内に設けられたロック部材を扉枠に対して進退動作させるサムターン７であって、
前記扉１の屋内側の面に露出して回転自在に固定されかつ前記錠箱３に対向する端面に開口する中空部３１の形成された摘み部９と、
前記中空部２３に、前記摘み部９の回転中心軸方向に移動自在かつ相対回転不能に内設され、前記錠箱３の回転入力部３ａに対して係合又は係合解除されるコア部材１１と、
頭部１３ａが前記摘み部９の表面に露出されるとともに先端が前記中空部内に延出して前記コア部材１１に螺合され、前記頭部１３ａが回転されることで前記コア部材１１を前記回転中心軸方向に移動させる伝達解除ネジ１３と、
を具備し、
前記コア部材１１の先端１１ａが前記錠箱３の回転入力部３ａに嵌入し係合されている通常状態では、前記摘み部９の回転操作力が前記コア部材１１を介して錠箱３に伝達されて、該摘み部９による施解錠操作を可能とし、
前記通常状態から前記伝達解除ネジ１３の頭部１３ａが回転操作されると、該伝達解除ネジ１３に螺合される前記コア部材１１が、前記錠箱３の回転入力部３ａに係合状態から抜脱され、前記錠箱３に対して離反方向となる前記中空部３１内に移動し、前記摘み部９と回転入力部３ａとの係合を解除して回転操作力の伝達を不能とすることを特徴とする。
【０００６】
このサムターン７によると、伝達解除ネジ１３の頭部１３ａが回転されると、この伝達解除ネジ１３と螺合されかつ回転不能となったコア部材１１が、摘み部９の中空部２３を錠箱３に対して離反方向に移動される。これにより、錠箱３とコア部材１１との係合が解除される。すなわち、錠箱３の回転入力部に係合されていたコア部材１１が抜脱されることで、錠箱３とコア部材１１との係合が解除される。錠箱３とコア部材１１との係合が解除されると、サムターン７は空回りを起こし、その回転操作力は、錠箱３へ伝達されなくなる。
従って、この係合解除状態において、サムターン７による解錠操作を可能にするには、ドライバを用いた屋内側正面からの伝達解除ネジ回転操作が必要条件となり、この伝達解除ネジ回転操作がなされた場合のみに、解錠操作が有効となる。つまり、扉１に設けられた小窓を割り、そこから手指や棒等を差し入れることによる不正なサムターン７の回転操作が錠箱３に伝達されなくなり、不正解錠が阻止されることになる。
【０００７】
請求項２記載のサムターン７は、前記摘み部９の表面に凹部３５が形成され、該凹部３５に前記伝達解除ネジ１３の頭部１３ａが配置されることを特徴とする。
【０００８】
このサムターン７によると、伝達解除ネジ１３の頭部１３ａが、摘み部９の表面に形成された凹部３５に配置されることで、屋内側正面以外から伝達解除ネジ１３の頭部１３ａが目視されなくなり、小窓からの伝達解除ネジ１３の操作がより困難になる。
【０００９】
請求項３記載のサムターン４１は、扉１に内蔵された錠箱３に対し回転力を入力し、該錠箱３内に設けられたロック部材を扉枠に対して進退動作させるサムターン４１であって、
前記扉１の屋内側の面に露出して回転自在に固定されかつ前記錠箱３に対向する端面に開口する中空部４５の形成された摘み部４３と、
前記中空部４５に、前記摘み部４３の回転中心軸方向に移動自在かつ相対回転可能に内設され、前記錠箱３の回転入力部３ａに対して係合又は係合解除されるコア部材４７と、
前記摘み部４３の表面に、前記コア部材４７の移動方向に沿って形成され、前記中空部４５を外部へ開口させるガイド溝４９と、
前記コア部材４７に突設され該ガイド溝４９から外部へ突出し、該ガイド溝４９に沿って移動する伝達解除ピン５１と、
前記摘み部４３に設けられ、該伝達解除ピン５１の移動を前記ガイド溝４９の所定の位置で規制する保持手段（保持溝５３）と、
を具備し、
前記コア部材４７の先端４７ａが前記錠箱３の回転入力部３ａに嵌入し係合されている通常状態では、前記摘み部４３の回転操作力が前記コア部材４７を介して錠箱３に伝達されて、該摘み部４３による施解錠操作を可能とし、
前記通常状態から前記伝達解除ピン５１が前記ガイド溝４９に沿って移動操作されると、該伝達解除ピン５１が突設された前記コア部材４７が、前記錠箱３の回転入力部３ａに係合状態から抜脱され、前記伝達解除ピン５１の移動を前記保持手段（保持溝５３）にて規制することで、前記錠箱３に対して離反方向となる前記中空部４５内に移動し、前記摘み部４３と回転入力部３ａとの係合を解除して回転操作力の伝達を不能とすることを特徴とする。
【００１０】
このサムターン４１によると、ガイド溝４９から外部へ突出した伝達解除ピン５１が操作され、保持手段５３によって伝達解除ピン５１がガイド溝４９の所定の位置で保持される。これにより、錠箱３とコア部材４７との係合が解除可能となる。すなわち、錠箱３の回転入力部３ａに係合されていたコア部材４７が抜脱されることで、錠箱３とコア部材４７との係合が解除される。錠箱３とコア部材４７との係合が解除されると、サムターン４１は空回りを起こし、その回転操作力は、錠箱３へ伝達されなくなる。
従って、この係合解除状態において、サムターン４１による解錠操作を可能にするには、保持手段５３による伝達解除ピン５１の保持を解除することが必要条件となり、この保持解除のなされた場合のみに、解錠操作が有効となる。つまり、扉１に設けられた小窓を割り、そこから手指や棒等を指し入れることによる不正なサムターン４１の回転操作が錠箱３に伝達されなくなり、不正解錠が阻止されることになる。
【００１１】
請求項４記載のサムターン４１は、前記保持手段５３が、前記ガイド溝４９の長手方向に直交し交差する方向に連設され、前記伝達解除ピン５１を進入させて該伝達解除ピン５１の移動を規制する保持溝５３からなることを特徴とする。
【００１２】
このサムターン４１によると、保持手段５３が、ガイド溝４９に連設される保持溝５３からなることで、伝達解除ピン５１をガイド溝４９の所定の位置に保持させる保持機構が、他部材を設けずに容易に形成可能になる。
【００１３】
【発明の実施の形態】
以下、本発明に係るサムターンの好適な実施の形態を図面を参照して詳細に説明する。
図１は本発明に係るサムターンの第一の実施の形態を示す側断面図である。
【００１４】
扉１には錠箱３が内蔵され、錠箱３には扉１の屋外側に露出する図示しないシリンダ錠と、扉１の屋内側に露出する本発明に係るサムターン７とが設けられている。錠箱３には図示しないロック部材が内蔵され、ロック部材はシリンダ錠の鍵孔に挿入されたキーの回転操作、又はサムターン７の回転操作により扉１の木口から進退して、扉枠側に施解錠を行うようになっている。
【００１５】
このロック部材としては、デッドボルトの他、扉枠側に取り付けられたガードアームに係止してドアチェーンと同様の働きをするガードボルト、円弧状の可動軌跡を描いて突出されるカマデッド、扉１の上端面或いは下端面から進退されて、扉枠に係合するロック手段等が含まれる。
【００１６】
本実施の形態によるサムターン７は、摘み部９と、コア部材１１と、伝達解除ネジ１３とにより大別して構成される。扉１の屋内側の面には、サムターン座１５が設けられ、サムターン座１５には軸孔１７が穿設されている。摘み部９には軸部１９が突設され、軸部１９はサムターン座１５の軸孔１７に回動自在に挿入されている。摘み部９は、軸孔１７に挿入された軸部１９の先端に、例えばＥリング等の抜脱防止部材２１が嵌着され、サムターン座１５からの抜けが防止されている。これにより、摘み部９は、扉１の屋内側の面に回転自在となって取り付けられる。
【００１７】
摘み部９の内部には中空部２３が形成され、中空部２３は錠箱３に対向する軸部１９の端面で開口されている。中空部２３は、例えば断面略円形の空洞状に形成され、開口側が、奥側より内径の小さい小径部２５となっている。つまり、この中空部２３は、奥拡がりに形成され、中空部２３の開口近傍には、段部２７が形成されている。
【００１８】
この中空部２３には上記した略円柱状のコア部材１１が挿入されている。コア部材１１は、中空部２３内において、摘み部９の回転中心軸方向にスライド移動自在となっている。
本実施の形態では、コア部材１１の基端側（図１の右側）には、直径方向外側に突出する一対の突起２９が設けられている。中空部２３の内壁には上下一対の溝３１が設けられ、この溝３１には突起２９が摺動自在に遊嵌されている。つまり、コア部材１１は、中空部２３内において、摘み部９と相対回転不能となっている。
【００１９】
コア部材１１は、図１の左端側に移動された位置で、先端１１ａが錠箱３の回転入力部３ａに嵌入し係合するようになっている。また、図１の右端側に移動された位置で、先端１１ａが回転入力部３ａから抜脱されて係合解除されるようになっている。このコア部材１１の先端１１ａは、例えば断面十字形状に形成される。また、回転入力部３ａは、この先端１１ａが嵌入される十字形状の孔に形成されている。これにより、摘み部９の回転は、コア部材１１を介して錠箱３の回転入力部３ａに伝達されるようになっている。
【００２０】
コア部材１１は、突起２９が段部２７に当接することにより、中空部２３からの脱落が規制されている。コア部材１１と中空部２３の奥壁２３ａとの間には、圧縮コイルバネよりなる圧縮バネ３３が配設されている。圧縮バネ３３は、コア部材１１を常に錠箱３方向へ付勢している。
【００２１】
摘み部９の屋内側の端面には凹部３５が形成されている。この凹部３５には、中空部２３に同軸となって連通するネジ孔３７が穿設されている。ネジ孔３７には上記した伝達解除ネジ１３が挿入され、伝達解除ネジ１３は先端がコア部材１１の雌ネジ部３９に螺合されている。雌ネジ部３９は、伝達解除ネジ１３が進入する十分な深さを有している。なお、伝達解除ネジ１３の軸部中途部分には、中空部奥壁２３ａに当接する抜止部材２２が装着され、ネジ孔３７に対し抜脱不能とされて回動自在に設けられる。
【００２２】
伝達解除ネジ１３は、頭部１３ａが凹部３５内に配置されることで、サムターン７の側面側からは目視されなくなっている。この頭部１３ａとしては、種々の形状が考えられるが、例えば十字ドライバによって回転される十字溝付き頭部や、外形が六角形状の頭部、或いは六角孔付き頭部等とすることができる。つまり、屋内側の正面方向からドライバ等の工具を用いて回転操作できるものであればよい。
【００２３】
次に、このように構成されたサムターン７の作用を説明する。
通常状態におけるサムターン７の使用時には、伝達解除ネジ１３が緩められ、コア部材１１が圧縮バネ３３によって図１中左側へ付勢されている。この結果、コア部材１１の先端１１ａは、錠箱３の回転入力部３ａに嵌入し係合され、摘み部９の回転操作力がコア部材１１を介して錠箱３に伝達されるようになっている。従って、サムターン７の回転操作によって、錠箱３からのデッドボルトの進退が可能となり、従来同様に簡便な施解錠がサムターン７によって可能となる。
【００２４】
一方、就寝時、或いは外出時には、ドライバ等の工具を用いて伝達解除ネジ１３の頭部１３ａを回転することにより、圧縮バネ３３の付勢力に抗してコア部材１１を図１中右側へ移動させる。これにより、コア部材１１の先端１１ａは、回転入力部３ａから抜脱され、コア部材１１と錠箱３との係合が解除されることになる。すなわち、この状態では、サムターン７が回転操作されても、サムターン７は空回りを起こし、回転操作力は、錠箱３へ伝達されない。つまり、錠箱３からデッドボルトの突出した施錠状態の解除は不能になる。
【００２５】
このように、上記したサムターン７によると、伝達解除ネジ１３の頭部１３ａが回転されると、この伝達解除ネジ１３と螺合されかつ回転不能となったコア部材１１が摘み部９の中空部２３を移動する。これにより、錠箱３とコア部材１１との係合が解除可能となる。すなわち、錠箱３の回転入力部３ａに係合されていたコア部材１１が抜脱されることで、錠箱３とコア部材１１との係合が解除される。
【００２６】
そして、錠箱３とコア部材１１との係合が解除されると、サムターン７は空回りを起こし、その回転操作は、錠箱３へ伝達されなくなる。従って、この係合解除状態において、サムターン７による解錠操作を可能にするには、ドライバ等の工具を用いた屋内側正面からの伝達解除ネジ１３の回転操作が必要条件となり、この伝達解除ネジ１３の回転操作がなされた場合のみに、解錠操作が有効となる。つまり、扉１に設けられた小窓を割り、そこから手指や棒等を差し入れることによる不正なサムターン７の回転操作力が錠箱３に伝達されなくなり、不正解錠が阻止されることになる。
【００２７】
次に、本発明に係るサムターンの他の実施の形態を説明する。
図２は本発明に係るサムターンの第二の実施の形態を示す平断面図、図３は図２のＡ−Ａ矢視図である。なお、図１に示した部材と同一の部材には同一の符号を付し、重複する説明は省略するものとする。
【００２８】
この実施の形態によるサムターン４１は、上記した摘み部９と同一の外形状で形成された摘み部４３が、サムターン座１５に回転自在に固定されている。このサムターン４１の中空部４５には上記の摘み部９と同様な段部２７が形成されている。一方、上記の摘み部９に形成されていた溝３１、及びコア部材１１の突起２９は形成されていない。すなわち、本実施の形態のコア部材４７は、中空部４５内に、回転可能となって内設されている。
【００２９】
コア部材４７と、摘み部４３の奥壁４５ａとの間には、上記第一の実施の形態と同様の圧縮バネ３３が配設されている。従って、コア部材４７の先端４７ａは、上記した第一の実施の形態のサムターン７と同様に、図２の左側へ付勢された状態となる。
【００３０】
一方、摘み部４３の側方表面には、コア部材４７の移動方向と同方向に長いガイド溝４９が形成されている。このガイド溝４９は、中空部４５を外部へ開口させている。コア部材４７の基端側には伝達解除ピン５１が突設される。伝達解除ピン５１は、ガイド溝４９を介して先端が外部へ突出される。この伝達解除ピン５１により、コア部材４７は、摘み部４３と相対回転不能となる。
【００３１】
ガイド溝４９の図２中右端側には、保持手段である保持溝５３が形成されている。保持溝５３は、ガイド溝４９の長手方向に直交し交差する方向で連設され、伝達解除ピン５１の進入を可能にしている。すなわち、伝達解除ピン５１は、コア部材４７の移動に伴ってガイド溝４９の右端側へ移動され、回転されることによって保持溝５３に保持されるようになっている。
【００３２】
コア部材４７が右端側へ移動されると、圧縮バネ３３は圧縮状態になる。この圧縮状態からの復元は、伝達解除ピン５１が保持溝５３に係止されて阻止される。従って、コア部材４７は、伝達解除ピン５１が保持溝５３に係止されることで、中空部４５の右端側に保持されることになる。この状態で、コア部材４７の先端４７ａは、錠箱３の回転入力部３ａから係合解除される位置に配置される。
【００３３】
この第二の実施の形態のサムターン４１によると、ガイド溝４９から外部へ突出した伝達解除ピン５１が操作され、保持溝５３によって伝達解除ピン５１がガイド溝４９の所定の位置で保持されると、錠箱３とコア部材４７との係合が解除される。すなわち、錠箱３の回転入力部３ａに係合されていたコア部材４７が抜脱されることで、錠箱３とコア部材４７との係合が解除される。
【００３４】
錠箱３とコア部材４７との係合が解除されると、サムターン４１は空回りを起こし、その回転操作は、錠箱３へ伝達されなくなる。従って、この係合解除状態において、サムターン４１による解錠操作を可能にするには、保持溝５３による伝達解除ピン５１の保持を解除することが必要条件となり、この保持解除のなされた場合のみに、解錠操作が有効となる。つまり、扉１に設けられた小窓を割り、そこから手指や棒等を差し入れることによる不正なサムターン４１の回転操作力が錠箱３に伝達されなくなり、不正解錠が阻止されることになる。
【００３５】
また、この実施の形態では、保持手段が、ガイド溝４９に連設される保持溝５３からなるので、伝達解除ピン５１をガイド溝４９の所定の位置に保持させる保持機構が、他部材を設けずに簡素な構造で形成可能になる。
【００３６】
【発明の効果】
以上詳細に説明したように、本発明に係るサムターンは、中空部の形成された摘み部を扉に回転自在に固定し、錠箱に対して係合又は係合解除されるコア部材をこの摘み部の中空部に内設し、頭部が摘み部の表面に露出される伝達解除ネジの先端をコア部材に螺合させたので、伝達解除ネジの頭部を回転させ、コア部材を移動させることで、錠箱とコア部材との係合を解除することができる。この結果、扉に設けられた小窓を割り、そこから手指や、棒等を差し入れることによる不正なサムターンの回転操作を行っても、サムターンは空回りを起こし、その回転操作が錠箱へ伝達されず、不正解錠を確実に防止することができるようになる。
【００３７】
また、ガイド溝から外部へ突出する伝達解除ピンを備えたサムターンでは、保持手段によって、この伝達解除ピンがガイド溝の所定の位置で保持され、これにより、錠箱とコア部材との係合が解除可能となる。そして、錠箱の回転入力部に係合されていたコア部材が抜脱されることで、サムターンは空回りを起こし、その回転操作力は、錠箱へ伝達されなくなり、扉に設けられた小窓を割り、そこから手指や棒等を指し入れることによる不正なサムターンの回転操作が錠箱に伝達されなくなり、不正解錠が阻止されることとなる。
【図面の簡単な説明】
【図１】本発明に係るサムターンの第一の実施の形態を示す断面図である。
【図２】本発明に係るサムターンの第二の実施の形態を示す断面図である。
【図３】図２のＡ−Ａ矢視図である。
【符号の説明】
１…扉
３…錠箱
３ａ…回転入力部
７，４１…サムターン
９，４３…摘み部
１１，４７…コア部材
１３…伝達解除ネジ
１３ａ…頭部
２３，４５…中空部
３５…凹部
４９…ガイド溝
５１…伝達解除ピン
５３…保持溝（保持手段）
【図１】
0004198298.tif 000002
【図２】
0004198298.tif 000003
【図３】
0004198298.tif 000004